(57)【特許請求の範囲】
【請求項１】
一定幅を有する薄板を接合してなる長方形の枠体と、該枠体に貼り付けて設けられる網と、建物の床下換気口に固定されたグリルに取り付けるため、該グリルの開口部の間隔に適合する位置に設けられた取付部とを備えた防虫網において、
前記取付部として、前記枠体の取付面側の上部に固定して設けられ、且つ、上方に開口する断面Ｌ字形の掛止部と、前記枠体の取付面側の下部に突出して設けられ、且つ、前記枠体の長手方向に折曲可能な掛着部とを具備することを特徴とする防虫網の取付構造。
【請求項２】
前記掛着部の中間部分に狭窄部を設けたことを特徴とする請求項１記載の防虫網の取付構造。
【請求項３】
前記掛止部及び前記掛着部を少なくとも前記枠体の長手方向の両端部近傍にそれぞれ１箇所ずつ設けたことを特徴とする請求項１又は２記載の防虫網の取付構造。
【発明の詳細な説明】
【０００１】
【発明の属する技術分野】
本発明は、建物の床下換気口に固定されたグリルに取り付ける防虫網の取付構造に係る。
【０００２】
【従来の技術】
通常、建物の基礎５１には、建物の床下空間と外部との間で空気を入れ替え、結露を防止するなどして床下空間を良好な状態に保つため、図７に示すような床下換気口５２が設けられている。そして、この床下換気口５２には、小動物が建物の床下に侵入することを防止するために、格子状に形成された金属板あるいは格子状に配設された金属棒などからなるグリル５３が取り付けられている。
【０００３】
しかしながら、前記グリル５３は格子間の開口部５４が比較的広いため、この開口部５４よりも小さな虫の侵入を防止することができない。このため、白蟻などの小さな虫が建物の床下に侵入し、建物に被害を与えるなどの問題があった。
【０００４】
そこで、このような小さな虫の侵入を防止するため、従来は、図８に示すような防虫網５５が前記グリル５３の裏面から取り付けられていた。該防虫網５５は、一定幅を有する長方形の枠体５６と、該枠体５６に貼り付けて設けられた網５７と、前記グリル５３の上部に掛止するための上部掛止部５８と、前記グリル５３の下部に掛止するための下部掛止部５９とを有する。
【０００５】
更に詳しく説明すると、前記枠体５６は、長尺状の４枚の金属薄板６０、６１を長方形状に接合して形成される。この際、長方形の長辺となる２枚の前記金属薄板６０は、断面がクランク形状となるように折り曲げられて形成され、長方形の短辺となる２枚の前記金属薄板６１は、断面がＬ字形状となるように折り曲げられて形成されており、容易に変形しないようになっている。そして、前記網５７は、小さな虫の侵入を防止するために網の目の大きさが１〜２ｍｍ程度の金属製の網が使用され、前記枠体５６の前記グリル５３への取付面６２の裏面に、溶接または接着などの手段により貼り付けられている。
【０００６】
前記上部掛止部５８は、幅が前記グリル５３の開口部５４の大きさ以下であって断面がクランク形状またはコ字形状となるように折り曲げられた金属薄板により形成されている。そして、前記枠体５６の上部に溶接などによって固定され、前記枠体５６の前記取付面６２に対して平行な面を形成する。この上部掛止部５８は、通常２個または３個が前記枠体５６に配設されるが（図示したものは３個の場合）、これらは前記グリル５３の前記開口部５４の間隔に合わせて配置されており、図９及び図１０に示すように、前記グリル５３に取り付ける際に前記開口部５４に挿入される。
【０００７】
前記下部掛止部５９は、図９及び図１０に示すように、その根元部６３の間隔が前記グリル５３の前記格子部６４の被挟持部６５の幅と略同一となるようにし、前記枠体５６の長手方向両側の下部に、前記枠体５６の前記取付面６２に対して垂直に固定される。そして、前記下部掛止部５９は、その断面がＳ字形状に湾曲して形成された金属薄板により形成されている。このＳ字形状の湾曲がバネの役割をして、前記グリル５３に取り付けた際に前記格子部６４を左右両側から挟持する。なお、前記枠体５６に固設する際には、溶接などの手段によらず、前記枠体５６の前記短辺側前記金属薄板６１のＬ字形状に折り曲げられた部分のうち、前記枠体５６の取付面６２と垂直な面６６に一体的に形成している。
【０００８】
以上のように形成された従来の防虫網５５は、図９及び図１０に示すように、前記グリル５３の裏面に取り付けられる。取付方法は、その上部においては、前記上部掛止部５８を前記グリル５３の開口部５４に挿入し、上方にずらすことによって前記上部掛止部５８と前記枠体５６の取付面６２とで前記グリル５３を挟持する。そして、下部においては、前記下部掛止部５９を前記グリル５３の前記開口部５４に挿入し左右両側から挟持して固定する。
【０００９】
【発明が解決しようとする課題】
しかしながら、上記の従来の防虫網５５は、その取付構造に関して使い勝手があまり良いものではなかった。すなわち、前記下部掛止部５９においては、前記グリル５３の前記格子部６４を左右両側から挟持することができるように、左右の前記下部掛止部５９の根元部６３の間隔が、前記格子部６４の被挟持部６５の幅と略同一となっているため、バネの役割をする前記Ｓ字形状の湾曲の中間部における左右の間隔は、前記格子部６４の被挟持部６５の幅よりも短いものとなる。したがって、前記開口部５４に挿入する際には、作業者が前記枠体５６を持って前記開口部５４に押し込むことによって、前記下部掛止部５９は前記Ｓ字形状の湾曲に沿って左右両側へ押し広げられながら挿入されることとなるが、製作時の誤差などにより、前記Ｓ字形状の湾曲の中間部における左右の間隔が狭すぎるため、単に作業者が押し込むのみでは挿入されない場合が多数あった。
【００１０】
そのような場合、前記下部掛止部５９をいったん左右に押し広げてから挿入することとなるが、人の指で行うには硬すぎるため、ペンチなどを用いて行う必要がある。そして、いったん左右に押し広げて挿入した後、再びペンチなどを用いて元に戻す作業を行わなければならないため、非常に不便である。また、上記のようなことを考慮してあらかじめ前記Ｓ字形状の湾曲の中間部における左右の間隔が広くなるように設計すると、前記防虫網５５が前記グリル５３にしっかり固定されない場合が生じるといった問題がある。
【００１１】
本発明は上記課題に鑑みてなされたものであって、建物の床下換気口に固定されたグリルに防虫網を取り付ける際に、製作時の誤差などに関係なく容易に取り付けることができ、なおかつ、がたつきを生じないように固定することを技術課題とするものである。
【００１２】
【課題を解決するための手段】
上記技術課題を解決するための具体的手段は、次のようなものである。すなわち、請求項１に記載する防虫網の取付構造は、一定幅を有する薄板を接合してなる長方形の枠体と、該枠体に貼り付けて設けられる網と、建物の床下換気口に固定されたグリルに取り付けるため、該グリルの開口部の間隔に適合する位置に設けられた取付部とを備えた防虫網において、前記取付部として、前記枠体の取付面側の上部に固定して設けられ、且つ、上方に開口する断面Ｌ字形の掛止部と、前記枠体の取付面側の下部に突出して設けられ、且つ、前記枠体の長手方向に折曲可能な掛着部とを具備することを特徴とするものである。
【００１３】
請求項２に記載する防虫網の取付構造は、請求項１の構成において、前記掛着部の中間部分に狭窄部を設けたことを特徴とするものである。
【００１４】
請求項３に記載する防虫網の取付構造は、請求項１又は２の構成において、前記掛止部及び前記掛着部を少なくとも前記枠体の長手方向の両端部近傍にそれぞれ１箇所ずつ設けたことを特徴とするものである。
【００１５】
【発明の実施の形態】
以下、本発明の実施形態に係る防虫網１の取付構造を図１から図６に基づいて説明する。本実施形態に係る防虫網１は、図１に示すように、図示しない建物の床下換気口に固定されるグリル２の裏面に取り付けられる。ここで、前記グリル２は、一定間隔に形成された格子部３を有する金属板からなるものである。そして前記防虫網１は、一定幅を有する薄板を接合してなる長方形の枠体４と、該枠体に貼り付けて設けられる網５と、前記グリル２に取り付けるための取付部として、前記枠体の前記グリル２への取付面６側の上部に固定され、前記枠体４の前記取付面６に対して平行な面を有し、上方に開口する断面Ｌ字形の掛止部７を有する掛止板８と、前記枠体４の前記取付面６側の下部に突出して設けられ、前記枠体４の長手方向に折曲可能な掛着部９とを具備する。
【００１６】
図１及び図２に示すように、前記枠体４は、長尺状の４枚の薄板１０、１１を長方形状に接合して形成される。この際、長方形の長辺となる２枚の前記薄板１０は、その断面がクランク形状となるように折り曲げられて形成され、このクランク形状の平行な２個の面のうち、一方の面は取り付けた際に前記グリルに着接される取付面６となり、他方の面は前記網５が貼り付けられる網貼付面１２となる。長方形の短辺となる２枚の前記薄板１１は、その断面がＬ字形状となるように折り曲げられて形成され、そのＬ字形状の直交する２個の面のうち、一方の面が前記長辺側薄板１０の前記網貼付面１２の裏面に貼り付けて設けられる。このように折り曲げて形成された薄板１０、１１を接合することによって前記枠体４が容易に変形しないようになっている。前記枠体４を形成する材質としては、成形の容易性、耐食性及び強度などの理由から、腐食しにくいステンレススチールなどの金属あるいは樹脂などを使用する。
【００１７】
前記網５は、前記枠体４により囲まれる開口部をすべて覆うようにして、前記枠体の前記網貼付面１２に着接される。前記網５は、小さな虫の侵入を防止するためのものであるので網の目の大きさが１〜２ｍｍ程度のものが好適である。また、材質は、耐食性のある金属ワイヤー製またはナイロンなどの化学繊維製のものを使用し、前記枠体４に溶接あるいは接着などの手段により着接される。
【００１８】
前記掛止板８は、前記グリル２の格子間の開口部１３の幅以下であって、その断面がクランク形状となるように折り曲げられた薄板により形成されている。そして、このクランク形状の平行な２個の面のうち一方の面が、前記枠体４の上部に貼り付けて設けられ、残りの２個の面が前記枠体４の前記取付面６に対して平行な面を有し、上方に向かって開口する断面Ｌ字形の掛止部７を形成する。材質は、前記枠体４と同様に、成形の容易性、耐食性及び強度などの理由から、腐食しにくいステンレススチールなどの金属あるいは樹脂などを使用する。また、前記掛止板８は、図示しないが、断面を略コ字形状となるように折り曲げた薄板により形成しても良く、その場合であっても全く同様である。
【００１９】
前記掛止部７を有する前記掛止板８は、本実施形態においては、前記枠体４の長手方向両端部近傍にそれぞれ１箇所ずつ固定されている。このように両端部近傍に設けることによって、前記防虫網１を前記グリル２に取り付けた際のがたつきを抑え、確実に固定することができる。通常は、このように両端部近傍にそれぞれ１箇所ずつ設ければ、前記防虫網１を支持するのに十分であるが、前記防虫網１の長さが長い場合であれば、中間部に追加して設ければより確実に支持することができる。そして、前記掛止板８は、図３及び図４に示すように、前記グリル２の開口部１３に挿入し、前記掛止部７と前記枠体４の取付面６との間で前記グリル２を挟持するものであるので、前記開口部１３の間隔に前記掛止板８が配設される間隔を適合させる必要がある。
【００２０】
前記掛着部９は、図１及び図２に示すように、前記枠体４の長手方向に折曲可能となるように、前記枠体４の短手方向すなわち上下方向に幅を有する平板状の突出片であり、前記枠体４の前記網貼付面１２の裏面すなわち前記取付面６側の下部に、前記取付面６に対して垂直となるように一体的に固定される。この際、溶接や接着などの手段により固設しても良いが、前記枠体４の前記短辺側薄板１１のＬ字形状の直交する２個の面のうち、前記取付面６に対して垂直な面１４を延設して設けると好適である。
【００２１】
上記のようにすることによって、本実施形態においては、前記掛着部９は、前記枠体４の長手方向両端部近傍にそれぞれ１箇所ずつ配設されることとなる。このように両端部近傍に設けることによって、前記防虫網１を前記グリル２に取り付けた際のがたつきを抑え、確実に固定することができる。そして、これら２個の前記掛着部９は、図３及び図４に示すように、前記掛止部７を前記グリル２の開口部１３に挿入した状態において、前記開口部１３に挿入される位置に配設する。このように配設することによって、前記開口部１３の幅は十分に大きいので、製作時の誤差などに関係なく、前記掛着部９を前記グリル２の開口部１３へ容易に挿入することができる。なお、通常は、このように前記掛着部９を前記枠体４の長手方向両端部近傍にそれぞれ１箇所ずつ配設すれば、前記防虫網１を支持するのに十分であるが、前記防虫網１の長さが長いなど場合であれば、中間部に追加して設ければより確実に支持することができる。この場合においても、前記掛着部９の配設される位置は、前記掛止部７を前記グリル２の開口部１３に挿入した状態において、前記開口部１３に挿入される位置にし、その固定される位置には、前記枠体４の断面Ｌ字形状の前記短辺側薄板１１を中間部に追加して設け、前記枠体４の前記取付面６に対して垂直な面１４を延設して設けると好適である。
【００２２】
更に、本実施形態においては前記枠体４の長手方向に容易に折り曲げることができるようにするため、図２に示すように、前記掛着部９の中間部分に狭窄部１５として、Ｕ字形状の切欠部が前記掛着部９の幅方向両側に設けられている。ここで、前記狭窄部１５の形状としては、他にも様々なものが考えられるが、例えば、図５に示すように、Ｖ字形状の切欠部を同様に前記掛着部９の幅方向両側に設けるものであっても良いし、あるいは、図６に示すように、任意形状の凹溝１６（図においては、円弧形状の溝について示す。）を前記掛着部の厚さ方向に設けるものであっても良い。このように、前記狭窄部１５を設けて前記掛着部９の中間部分に意図的に強度の弱い部分を作ることによって、前記狭窄部１５において容易に折り曲げ可能となり、ペンチなどの工具を使う必要がなく、作業者が手で容易に折り曲げて、図３及び図４に示すように、前記枠体４の前記取付面６との間で前記格子部３を挟持することができる。ただし、折り曲げた際に、前記掛着部９が前記狭窄部１５において破損しないだけの強度を有する必要がある。
【００２３】
以上のように形成された前記防虫網１は、図３及び図４に示すように、前記グリル２の裏面から取り付けられる。取付方法としては、その上部においては、前記掛止板８の前記掛止部７を前記グリル２の開口部１３に挿入し、前記防虫網１を上方にずらすことによって前記掛止部７と前記枠体４の取付面６とで前記グリル２を挟持する。そして、その下部においては、前記掛着部９を前記開口部１３へ挿入し、前記枠体４の長手方向に曲折して前記枠体４の前記取付面６との間で前記格子部３を挟持するものである。
【００２４】
【発明の効果】
以上説明したように、本発明の請求項１に係る防虫網の取付構造によれば、前記枠体の取付面側の上部に固定して設けられ、且つ、上方に開口する断面Ｌ字形の掛止部と、前記枠体の取付面側の下部に突出して設けられ、且つ、前記枠体の長手方向に折曲可能な掛着部とを、建物の床下換気口に固定されたグリルの格子間隔に適合する位置に設けたことによって、製作時の誤差などに関係なく、前記掛着部の前記グリルの開口部への挿入を容易に行うことができるので、両側に配設された前記掛着部をペンチで左右に押し広げるなどの不要な作業をすることなく、前記防虫網を前記グリルに容易に取り付けることが可能である。また、前記掛着部を折り曲げることによって前記枠体の取付面との間で前記グリルを挟持するので、前記防虫網がしっかりと固定され、がたつきを生じることがない。
【００２５】
本発明の請求項２に係る防虫網の取付構造は、請求項１に記載する構成において、前記掛着部の中間部分に狭窄部を設けたことにより、前記掛着部の中間部分に強度的に弱い部分ができ、その部分において容易に折り曲げることができる。したがって作業者はペンチなどの工具を使用する必要がなく、手で折り曲げることが可能である。
【００２６】
本発明の請求項３に係る防虫網の取付構造は、請求項１又は２に記載する構成において、前記掛止部及び前記掛着部を少なくとも前記枠体の長手方向の両端部近傍にそれぞれ１箇所ずつ設けたことにより、前記防虫網  を前記グリル  に取り付けた際のがたつきを抑え、確実に固定することができる。
【図面の簡単な説明】
【図１】本発明の実施形態に係る防虫網及びグリルを示す斜視図
【図２】本発明の実施形態に係る防虫網の取付部周辺を示す斜視図
【図３】本発明の実施形態に係る防虫網をグリルに取り付けた状態を示す斜視図
【図４】本発明の実施形態に係る防虫網をグリルに取り付けた状態における取付部周辺を示す斜視図
【図５】本発明の別の実施形態に係る防虫網の取付部周辺を示す斜視図
【図６】本発明の別の実施形態に係る防虫網の取付部周辺を示す斜視図
【図７】従来例に係る建物の床下換気口を示す斜視図
【図８】従来例に係る防虫網を示す斜視図
【図９】従来例に係る防虫網をグリルに取り付けた状態を示す斜視図
【図１０】従来例に係る防虫網をグリルに取り付けた状態における取付部周辺を示す斜視図
【符号の説明】
１  防虫網
２  グリル
４  枠体
５  網
６  取付面
７  掛止部
９  掛着部
１３  グリルの格子間の開口部
１５  狭窄部
【図１】
0003627900.tif 000002
【図２】
0003627900.tif 000003
【図３】
0003627900.tif 000004
【図４】
0003627900.tif 000005
【図５】
0003627900.tif 000006
【図６】
0003627900.tif 000007
【図７】
0003627900.tif 000008
【図８】
0003627900.tif 000009
【図９】
0003627900.tif 000010
【図１０】
0003627900.tif 000011